Podtech/llm-jp-corpus-v4-ja_patent huggingface dataset:
(57)【要約】【課題】  ロータリースロットル弁式気化器における燃料供給管について、部品点数および組み付け工数を減らすことにより製品の製造容易性と低価格化とを計る。【解決手段】  ロータリースロットル弁式気化器における燃料供給管1を、金属により形成されたメインジェット6と硬質合成樹脂により形成されたメインノズル3とを高周波溶着により一体化して形成し、この燃料供給管1を気化器本体5に形成した嵌挿孔7に嵌挿するとともに重ねて嵌挿した中空のプラグ8を圧入して固定する。【選択図】      図２
2007023873.tif 000002
【特許請求の範囲】
【請求項１】
金属により形成されたメインジェットと硬質合成樹脂により形成されたメインノズルとを高周波溶着により一体化して形成した燃料供給管を気化器本体に形成した嵌挿孔に嵌挿するとともに重ねて嵌挿した中空のプラグを圧入して固定することを特徴とするロータリースロットル弁式気化器における燃料供給管の固定手段。
【発明の詳細な説明】
【技術分野】
【０００１】
本発明は、チェーンソーや草刈機等の携帯作業機械の駆動源として用いられる小型の２サイクルエンジンに最適なロータリースロットル弁式気化器における燃料供給管の固定手段に関するものである。
【背景技術】
【０００２】
従来、燃料供給管燃料噴射孔を有する先端計量部へ燃料噴射の開口面積を加減するニードルが挿入され、燃料を計量するロータリースロットル弁式気化器が特開昭６２−５５４９９号公報に提示されている。
【０００３】
このロータリースロットル弁式気化器は、小型機関におけるアイドル運転時のような微小な燃料量を安定した状態で制御することができる利点を有している。
【０００４】
更に、燃料供給管とニードルとの組付精度、特に燃料供給管とニードルとの隙間を小さく、且つ両者の同心度を高め、長期使用中に生じる燃料量の経時的変化を抑えるために、燃料供給管の基端圧入部を金属により形成し、燃料供給管のメインノズルを合成樹脂から形成し、燃料供給管のメインノズルが基端圧入部のフランジよりも先端側に外嵌する如く一体的に結合したものが特開平８−１０５３５７号公報に提示されている。
【０００５】
この公報に提示されている燃料供給管は、基端圧入部を気化器本体の取付孔に圧入するときに、基端圧入部が変形したり、燃料供給管が取付孔へ斜めに嵌合することがなく、燃料供給管にニードルが同心に嵌合する。特に、合成樹脂製のメインノズルは薄肉にしても差し支えなく、先端計量部の寸法精度が向上し、燃料供給管とニードルとの隙間を最小限に設定でき、燃料供給管の内径や燃料噴孔の形状に経時的変化がなく、長期使用に対して安定である。
【０００６】
ところが、図４に示すように前記公報に提示されている従来の燃料供給管１は、金属により形成された基端圧入部２の上にメインノズル３を硬質合成樹脂によりインサート成形し、これを図５に示すようにＯリング４を介して順に差し込んで気化器本体５に形成した下端にメインジェット６を配置してある嵌挿孔７に固定されている。
【０００７】
従って、従来の燃料供給管１は部品として基端圧入部２、メインノズル３、Ｏリング４およびメインジェット６を要し、点数が多く、これらを組み付けるため工数が多くなり、その結果、製品コストが高くなるという問題がある。
【特許文献１】特開昭６２−５５４９９号公報
【特許文献２】特開平８−１０５３５７号公報
【発明の開示】
【発明が解決しようとする課題】
【０００８】
本発明は、上記のような問題点を解決することを課題としてなされたものであり、ロータリースロットル弁式気化器における燃料供給管について、部品点数および組み付け工数を減らすことにより製品の製造容易性と低価格化とを計ることを課題とするものである。
【課題を解決するための手段】
【０００９】
前記課題を解決するため、本発明であるロータリースロットル弁式気化器における燃料供給管の固定手段は、金属により形成されたメインジェットと硬質合成樹脂により形成されたメインノズルとを高周波溶着により一体化して形成した燃料供給管を気化器本体に形成した嵌挿孔に嵌挿するとともに重ねて嵌挿した中空のプラグを圧入して固定することを特徴とする。
【発明の効果】
【００１０】
本発明によれば、従来のように４つの部品により構成されているロータリースロットル弁式気化器における燃料供給管を２つの部品に減少させるばかりか、組み付けも一体化したメインジェットとメインノズルとからなる燃料供給管を中空プラグを重ねて気化器本体に形成した嵌挿孔に嵌挿するという１工程ですみ、製造コストを低減することができる。
【発明を実施するための最良の形態】
【００１１】
次に、本発明の実施の形態について図面を参照して説明する。
【００１２】
図１乃至図３は、本発明における好ましい実施の形態の一例を示すものであり、燃料供給管１は図１に示すように、例えばアルミニウムなどの金属により形成されたメインジェット６と前記メインジェット６と硬質合成樹脂製のメインノズル３とからなり、メインノズル３の下端に形成した膨出部３１に下面を開口して形成されたメインノズル３の嵌挿部３２にメインジェット６が噴射孔を連通させた状態で嵌挿し、更に高周波溶着によりメインノズル３とメインジェット６とが一体化される。
【００１３】
そして、前記図１に示した燃料供給管１を気化器本体５に組み付けるには、図２に示すように、気化器本体５における吸気筒５１のベンチュリ部５２に形成した嵌挿孔７に膨出部３１を差し込むととともに同時に膨出部３１に連続して形成されるノズル部３３に重ねて嵌挿した中空の例えばアルミニウムなどによる金属製のプラグ８を圧入して固定すればよい（図３参照）。
【００１４】
このように本実施の形態によれば、メインノズル３とメインジェット６とを一体化した燃料供給管１とプラグ８とからなるきわめて少ない部品を、気化器本体５に形成した嵌挿孔７に嵌挿、固定するだけでよく、部品の製造、管理が容易で組み付けも簡単であることから生産コストを低下させることができる。
【００１５】
殊に、燃料供給管１を構成するメインノズル３とメインジェット６とは高周波溶着により一体化されていることから、互いに緊密に結合して使用時に燃料が洩れるという心配もなく、また、気化器本体５に形成した嵌挿孔７に嵌挿するのはメインノズル３部分だけであり、部品同士の接合不良なども生じる心配がなく精度よく組み付けることができ、ニードルとの隙間における精度もよいことはいうまでもない。
【図面の簡単な説明】
【００１６】
【図１】本発明についての好ましい実施の形態における燃料供給管を示す断面図。
【図２】本発明についての好ましい実施の形態についての組み付け状態を示す断面説明図。
【図３】図２に示す実施の形態についての組み付け後における状態を示す断面説明図。
【図４】従来例における燃料供給管を示す断面図。
【図５】従来例を示す断面図。
【符号の説明】
【００１７】
１  燃料供給管、  ３  メインノズル、  ５  気化器本体、  ６  メインジェット、  ７  嵌挿孔、  ８  プラグ
【図１】
2007023873.tif 000003
【図２】
2007023873.tif 000004
【図３】
2007023873.tif 000005
【図４】
2007023873.tif 000006
【図５】
2007023873.tif 000007
(57)【要約】      （修正有）【解決手段】スプリング固定パイプ１に取り付けられた回転自在なプーリー２にスプリング３の一端を取り付け、もう一端をスプリング固定パイプ１に取りつけて、スプリング固定パイプ１の中を通った主軸４に駆動プーリー５を固定して、ブラケット１２から出た主軸４にチェーンホイール６を取り付ける。左右のプーリー２と駆動プーリー５をバー８で連結して、各プーリー２にスラット９を取り付けて、左右のスプリング固定パイプ１を回転してスプリング３を巻きバランスをとって固定板１１を軸受け７に固定する。【効果】本発明のシャッターは、巻き取りプーリを直接駆動するために、左右のバランスが崩れることもなく、スムーズなシャッターの開閉を実現する。【選択図】図１
2007023749.tif 000002
【特許請求の範囲】
スプリング固定パイプを左右に分割して、スプリング固定パイプの中に主軸を通して、主軸の一端もしくは両端をブラケットから出して、出た主軸にチェーンホイールを取り付けチェーンを上下することにより、主軸と固定した駆動プーリーを回してシャッターを開閉するシャッターの駆動装置。
【発明の詳細な説明】
【技術分野】
【０００１】本発明は、巻き取り式シャッターで、主軸を回転させ外部からシャッターの巻き上げ巻き戻しする事のできるシャッターの駆動装置。
【背景技術】
【０００２】従来のスプリングを使用したバランス式シャッターでは、左右のブラケットに取り付けて有る軸受けでシャフトを固定し、固定のシャフトに回転自在なプーリーを２個以上取り付けて、一端をシャフトにもう一端をプーリーに取り付けたスプリングを巻いてプーリーにとりつけられたスラットの重量をバランスしてスラットを操作して上下に開閉しています。
【発明の開示】
【発明が解決しようとする課題】
【０００３】従来の巻き取り装置では、スラットを操作して開閉する為に，左右のバランスを崩したり、プーリーとのスピード差が生じて騒音やスムーズな開閉ができなくなる場合が有ります。
【課題を解決するための手段】
【０００４】本発明は、シャッターの重量をスプリングの力でバランスし、巻き取りプーリーを直接駆動するために、スプリング固定パイプの中に主軸を通し中間の駆動プーリーを主軸に固定し、ブラケットの外に出た主軸にチェーンホイールを固定して、チェーンを引いてシャッターを開閉する。
【発明の効果】
【０００５】本発明のシャッターは、巻き取りプーリを直接駆動するために、左右のバランスが崩れることもなく、スムーズなシャッターの開閉を実現する。
【発明を実施するための最良の形態】
【０００６】バランス式シャッターのスプリング固定パイプを左右に分け、駆動用の主軸を通して、主軸の中間部に駆動プーリーを取り付け、ブラケットの外に出た主軸を回転させてシャッターを開閉する。
【実施例】
【０００７】図１は本発明の主要部で、スプリング固定パイプ１に取り付けられた回転自在なプーリー２にスプリング３の一端を取り付け、もう一端をスプリング固定パイプ１に取りつけて、スプリング固定パイプ１の中を通った主軸４に駆動プーリー５を固定して、ブラケット１２から出た主軸４にチェーンホイール６を取り付ける。
左右のプーリー２と駆動プーリー５をバー８で連結して、各プーリー２にスラット９を取り付けて、左右のスプリング固定パイプ１を回転してスプリング３を巻きバランスをとって固定板１１を軸受け７に固定する。
図２は全体図を示す、チェーンホイール６のチェーン１０を操作する事によりシャッターを開閉する事ができる。
また、チェーンホイール６をスプロケットに変更してモーターを取り付ければ電動シャッターとして使用する事ができる
【図面の簡単な説明】
【０００８】
【図１】主要構成部の拡大断面図
【図２】シャッターの全体図
【符号の説明】
【０００９】１    スプリング固定パイプ
２    プーリー
３    スプリング
４    主軸
５    駆動プーリー
６    チェーンホイール
７    軸受け
８    バー
９    スラット
１０  チェーン
１１  固定板
１２  ブラケット
【図１】
2007023749.tif 000003
【図２】
2007023749.tif 000004
(57)【要約】      （修正有）【課題】従来のタンクは横に大きく場所をとり、かつ溜まり過ぎた雨水は溢れたままで一般住宅では利用しにくいタンクであった。この２つの問題を解決することが目的である。【解決手段】縦どいを太くし雨水を溜めるタンクとし，又溢れる雨水は内側又は外側に取付けた従来の大きさの縦どいに流す方法で場所を取らないで雨水を溜め、溢れる雨水を排水することが出来るタンクとした。【選択図】  図１
2007023750.tif 000002
【特許請求の範囲】
【請求項１】
（１）雨水を太くした縦どいに溜め、雨水用のタンクにすた。
（２）タンクより溢れる雨水は、従来の細い縦どいをタンクに取付上部より下部に排水する。
【発明の詳細な説明】
【発明の詳細な説明】
【技術分野】
【０００１】  縦どいを太くし、雨水を縦どいに溜め雨水を利用する物である。
【背景技術】
【０００２】従来のタンクは、縦・横に大きく場所を取り、又  雨水が溜まり過ぎると上部より溢れ、一般住宅では使用しにくい物であった。
【発明が解決しようとする課題】
【０００３】  本発明は従来のタンクでは大きくて場所を取り、溢れる雨水を垂れ流す欠点をなくすために、タンクを縦長にし溢れる雨水を下に排水する方法を研究した。
【課題を解決しようとする課題】
【０００４】  雨水給水塔は雨水を太くした縦どいに溜め、溢れる雨水は従来の細い縦どいを取付（外側・内側両方可能）下に流すようにした。
【発明を実施するための最良の形態】
【０００５】  縦どいを太くし、雨水を縦どいに溜め雨水タンクとして利用する事が出来る。
【発明の効果】
【０００６】雨水を溜め，手洗いや花等の水撒きに利用できるため、水道水の節水になる。又防火用水としても利用できる。
【図面の簡単な説明】
【図１】  内側排水断面図
【図２】  外側排水断面図
【符号の説明】
（１）  は既設の縦どい
（２）  は雨水を溜める太くした縦どい（タンク）
（３）  は従来の縦どいをタンクの内側に取付けた図
（４）  は従来の縦どいをタンクの外側に取付けた図
（５）  は蛇口
矢印（→）は雨水の流れを示す
【図１】
2007023750.tif 000003
【図２】
2007023750.tif 000004
(57)【要約】【課題】  窓を開放し網戸のみ閉めた状態の部屋への虫の進入を防ぐ網戸用虫取りシートを提供する。【解決手段】  網戸の側面に粘着テープを備えた板を取り付けることで、窓と網戸の隙間からの虫の進入を防ぐ網戸用虫取りシート。【選択図】  図１
2007023741.tif 000002
【特許請求の範囲】
【請求項１】
網戸の側面に粘着テープを備えた板を取り付けることで、窓と網戸の隙間からの虫の進入を防ぐ網戸用虫取りシート。
【発明の詳細な説明】
【技術分野】
【０００１】  本発明は、窓を開放し網戸の状態の時に、室内への虫の進入を防ぐ網戸用虫取りシートに関するものである。
【背景技術】
【０００２】  室内に侵入してきた虫には様々な対応策があるが、窓際で防ぐものは見受けられない。
【発明の開示】
【発明が解決しようとする課題】
【０００３】  夏場の特に夜間、網戸のみを閉めていても、網戸と窓の間には僅かながら隙間があり、室内に明かりがあると虫はその隙間から進入してくることが多い。
本発明は以上の問題点を解決しようとするものである。
【課題を解決するための手段】
【０００４】  粘着テープを備えた板を網戸の側面の凹みに取り付けることで、窓と網戸の隙間から進入しようとする虫を粘着部で捕らえることができる。以上を特徴とする網戸用虫取りシートである。
【発明の効果】
【０００５】  本発明は、窓を開けて網戸のみ閉めた状態で虫の進入を気にすることなく部屋の明かりを点けておけるため、常に冷房をいれる状態ではなく、外気を取り入れ自然な気温で過ごすことができる。
【発明を実施するための最良の形態】
【０００６】  以下、本発明の実施の形態を説明する。
（イ）複数枚の粘着テープ（１）を粘着テープ台板（２）に設置し、その側面に雨よけ        用板（３）を固定する。
（ロ）粘着テープ台板（２）の裏面に網戸取付部（４）を固定し、ゴムカバー（５）を        付ける。
本発明は、以上の構成よりなっている。
本発明を使用するときは、上記の網戸用虫取りシートを（図２）のように網戸の側面の凹みに網戸取付部（４）を取り付ける。１日毎に粘着テープ（１）を１枚はがし、無くなったときは、網戸から本発明を取り外す。
なお、小雨であれば雨よけ用板（３）があるため使用可能である。
【図面の簡単な説明】
【０００７】
【図１】本発明の斜視図
【図２】本発明の網戸取付斜視図
【符号の説明】
【０００８】      １．粘着テープ
２．粘着テープ台板
３．雨よけ用板
４．網戸取付部
５．ゴムカバー
【図１】
2007023741.tif 000003
【図２】
2007023741.tif 000004
(57)【要約】      （修正有）【課題】建築物の断熱工事を容易に施工する方法の提供。【解決手段】現状の建築物・建材に手を加えることなく、現状での建材の形状、及び金具を併せて利用することで、誰でも短時間で容易に建築物の断熱工事を施工することを可能とする。接着や、建材・建築物への追加工・追加工事が不要なため、工事費用についても大幅な削減が期待される。また、断熱材においても一般に市販・仕様されているものを使用するため、現在行われている断熱工事と同等の効果が期待される。【選択図】  図２
2007023748.tif 000002
【特許請求の範囲】
【請求項１】
主にスレート建材の屋根および壁を使用した建築物に、容易に断熱処理を施工する方法。
【発明の詳細な説明】
【技術分野】
【０００１】本発明は、現状のスレート屋根や壁に対して誰でも簡単に、かつ短時間に断熱処理を実施できる方法を提案するものである。
【背景技術】
【０００２】  現在、スレート建材は工場や倉庫などに広く使われている。また、それに対して内部温度を保つためにさまざまな断熱工事や断熱処理が考案されたり実施されたりしている。しかしその多くは専門業者による施工が必要であり、また施工時間が長時間必要となるものもある。このため、工場や倉庫の使用、作業に支障をきたすこともある。
【発明の開示】
【発明が解決しようとする課題】
【０００３】
【０００２】で述べた問題点を解決するために、建材加工や接着加工といった専門的な工事を実施することなく、また、短時間で断熱処理を簡単に施工できる方法を提供しようとするものである。そのために本発明では、現状の設備や建材に手を加えるのではなく、建材として広く使われている、Ｃフレームと呼ばれる構造材の形状を利用し、併せて市販されている断熱材および、薄い金属板からなる金具を使用することで工事自体を簡略化できることを特徴としている。
【発明を実施するための最良の形態】
【０００４】次に図Ａ−１から図Ｄ−２により発明の実施の形態を説明する。【０００５】図Ｄ−１において、断熱工事前の屋根の側面図を例として示す。なお、Ｐは屋根部を構成するスレスレート建材であり、Ｑは一般にＣフレームと呼ばれる金属製の建材である。なお、Ｐ、Ｑを建材Ｐ、建材Ｑと略して表記する。次に、図Ｄ−２において、断熱工事に使用する断熱材をｄ１、ｄ２として示す。ｄ１とｄ２の違いはｄ１が柔軟性を持つ材質であり、ｄ２は柔軟性がないことである。また、断熱材の形状は、使用される個所により若干大きさなど差はあるが、おおむね板状のものを使用する。【０００６】  まず、断熱材ｄ１を使用する場合を説明する。ここでは、図Ａ−１で示すような金具１を使用する。金具１は一枚の金属板で構成されるものである。また、金具１の板厚は、手で容易に曲げることが可能な厚さである。まず、図Ａ−１−１で示すように、建材Ｑの開口部Ｑ１と、ｂ１とｃ１との間にある開口部との間に断熱材ｄ１の両端部を入れる。次に図Ａ−１−２に示すように、断熱材ｄ１を湾曲させ、同時に金具１のａ１部を建材Ｐ建材Ｑの間にある隙間に差し込む。続いて、図Ａ−１−３のように、断熱材ｄ１を徐々に平らに戻しつつ、金具１のａ１部を隙間にさらに押し込む。最後に、図Ａ−１−４に示す通り、ａ１部を矢印方向に押し曲げ、金具１を固定する。以上により断熱材ｄ１は両端を固定されるため、落下、脱落などすることなく、建材Ｐと平行に保持される。以上の工法を繰り返すことにより、断熱工事を施工するものである。【０００７】次に、断熱材ｄ２を使用する場合を説明する。ここでは、図Ａ−２で示すような金具２を使用する。金具１と同様に、一枚の金属板で構成され、板厚は手で容易に曲げることが可能な厚さである。破線ｃ′はｃ２を曲げる位置である。前もって曲がりやすくするために、ｃ′部にスリットと、両端には切れ目を入れておく。図Ａ−２−１で示すように、金具２のａ２部を建材Ｐ、建材Ｑの隙間に差し込む。さらに、ａ２部を手で押し曲げ、金具２を固定する。次に、図Ａ−２−２に示すように、断熱材ｄ２を建材Ｑの開口部Ｑ２側に差し込み、断熱材ｄ２を金具２のｂ２部まで移動する。続いて、図Ａ−２−３に示すように、ｃ２部を押し曲げて、断熱材ｄ２を固定する。以上により断熱材ｄ２は図Ａ−２−４のように両端を固定され、落下、脱落などすることなく建材Ｐと平行に保持される。以上の工法を繰り返すことにより、断熱工事を施工するものである。【０００８】
【０００６】や【０００７】では、建材Ｐと建材Ｑの隙間を利用したが、屋根・壁の状況・状態によっては、隙間を利用できない場合がある。そこで、建材Ｑの構造と、建材Ｑのみに固定する金具とを併せて使用し、断熱工事を施工する方法を提案するものである。ここでは、図Ｂ−１に示すような金具３を使用する。金具３は一体形状の金属製であり、手で曲げることが可能な板厚である。またここでは、断熱材ｄ２を使用する。施工方法は、図Ｂ−２−１のように、建材Ｑに金具３のｅ部を引っ掛け、矢印方向に金具３を押して、建材Ｑに押し当てる形で固定する。次に、図Ｂ−２−２のように、開口部Ｑ２に先に断熱材ｄ２の端部を入れ、もう一方の端部をｆ部に押し当てる。さらに、図Ｂ−２−３のように、ｇ部をｈ部を支点に矢印方向へ折り曲げる。以上の工程を実施することで、断熱材ｄ２は図Ｂ−２−４のように建材Ｐと平行に保持される。以上の繰り返しにより、断熱工事を施工できる。
【発明の効果】
【０００９】
【０００６】、
【０００７】、
【０００８】で記述したこれらの工事方法における最大の利点は、現状の屋根や壁に直接手を加えることなく、また特殊な工具や接着剤などを用いることなく、誰でも簡単に断熱工事が施工できる点である。現状の建築物・建材に手を加えない為、工事期間を大幅に短縮でき、同時に工事費用の大幅な削減も期待できる。
また、断熱材は現在一般に市販・使用されているものを使うため、断熱効果も既存の工事方法と同等の効果が見込めるものである。
【図面の簡単な説明】
【００１１】
【図１】〔図Ａ−１〕金具１の俯瞰図である。
【図２】〔図Ａ−１−１、図Ａ−１−２、図Ａ−１−３、図Ａ−１−４〕工法の説明図である。
【図３】〔図Ａ−２〕金具２の俯瞰図である。
【図４】〔図Ａ−２−１、図Ａ−２−２、図Ａ−２−３、図Ａ−２−４〕工法の説明図である。
【図５】〔図Ｂ−１〕金具３の俯瞰図である。
【図６】〔図Ｂ−２−１、図Ｂ−２−２、図Ｂ−２−３、図Ｂ−２−４〕工法の説明図である。
【図７】〔図Ｄ−１〕断熱工事前の屋根の側面図である。〔図Ｄ−２〕断熱工事に使用する断熱材の側面図である。
【図面に対する補足】
【００１２】〔
【図Ａ−１】
、
【図Ａ−２】
、
【図Ｂ−１】
〕に示した金具は、図中においてはあくまで一例である。建築物、建材の大きさ、断熱材の大きさ、状況などによっては形状などが若干変わる場合がある。そのため、図中では最低限付随する形状を示した。そのため、大きさなど仕様に関する説明は省略するものとする。
【図１】
2007023748.tif 000003
【図２】
2007023748.tif 000004
【図３】
2007023748.tif 000005
【図４】
2007023748.tif 000006
【図５】
2007023748.tif 000007
【図６】
2007023748.tif 000008
【図７】
2007023748.tif 000009
(57)【要約】【課題】本発明は、ドアーを任意の位置で簡単に止めるための製品、本体の板状の部分がドアーによって下方に押され湾曲し製品全体も下方に押されドアーを止める、ドアー・ストッパーに関するものである。【解決手段】軟質のゴム又は軟質の合成樹脂から成る任意形状のドーストッパー本体と当該ドアーストッパー本体に適宜な傾斜を保った状態で一体形成された板状体から成ることを特徴とするドアーストッパー。【選択図】  図１
2007023751.tif 000002
【特許請求の範囲】
【請求項１】
軟質のゴム又は軟質の合成樹脂から成る任意形状のドアーストッパー本体と当該ドアーストッパー本体に適宜な傾斜を保った状態で一体形成された板状体から成ることを特徴とするドアーストッパー。
【発明の詳細な説明】
【技術分野】
【０００１】本発明は、ドアーを任意の位置で簡単に止めるための製品、本体の板状の部分がドアーによって下方に押され湾曲し製品全体も下方に押されドアーを止める、ドアー・ストッパーに関するものである。
【技術背景】
【０００２】今までのドアー下部と床との間に差し込む三角形状その他の形状のドアーストッパーであった。
【発明の開示】
【発明が解決しょうとする課題】
【０００３】そのために次のような問題点があったドアークロッサーが付いている、ドアーでは今までの製品ではドアーストッパー本体が扉に押されて移動してしまい任意の位置でドアーを止めることができない。
【解決するための手段】
【０００４】軟質のゴム又は軟質の合成樹脂から成る任意形状のドーストッパー本体と当該ドアーストッパー本体に適宜な傾斜を保った状態で一体形成された板状体から成ることを特徴とするドアーストッパー。
【発明の効果】
【０００５】本発明の板状体のものが湾曲することによって、板状体の反発力が増しドアーストッパー本体と板状体の先端部分の摩擦が増しドアーを任意の位置で軽く止めることができ、ドアー・クロッサに押されて移動することもなく、ドアーと床との隙間の大小に対しても対応できる。
【発明を実施するための最良の状態】
【０００６】以下、本発明の実施の状態を説明する
（イ）本体（２）と板状体（１）の物を一体構造にする。
（ロ）板状体部分は、本体に約３０度の傾斜で本体部分の上部と繋がって居る。
（ハ）板状体（１）はドアーに押されて下方へ湾曲する必要があるので、本体共に柔軟性を持っている材料を使用する。
（ニ）板状体（１）部分は使用時に下方へ何回も湾曲するのでそれに耐えられる材料とする。
本発明は以上の構成になっている。
本発明を使用するときはドアー下部の隙間に本製品を置きドアーをその位置に移動すればそこで止まる。
ドアーの停止状態は板状体（１）がドアーに押され下方へ湾曲した状態での使用となる。
【図面の簡単な説明】
【０００７】
【図１】本発明の斜視図
【図２】本発明のドアーストッパー使用図
【符号の説明】
【０００８】１板状体
２本体
３ドアーストッパー
【図１】
2007023751.tif 000003
【図２】
2007023751.tif 000004
(57)【要約】      （修正有）【課題】従来の雨樋は、底辺部に葉っぱなどが附着し腐ってヘドロになって溜まり、ドレンを覆って目詰まりする為、雨水が縦樋に流れなくなり、雨樋から雨水が溢れて落下するので、之を阻止しようとするものである。【解決手段】雨樋の上部内面両側に上段の縦桟（１）を、更に下段の縦桟（２）には数個の横桟（３）を連結して設ける。    上段の縦桟（１）と下段の縦桟（２）の間に差し込んで装着した、金網やプラスチック製の網の蓋（４）を、横桟（３）中央部に針金等（５）で固定する事によって、蓋（４）自体が樋の中へ落ちたり、風で吹き飛ばされる心配がない。  亦、葉っぱが飛来して来ても雨樋の底辺部に附着してヘドロ化しないようにした。【選択図】図３
2007023752.tif 000002
【特許請求の範囲】
【請求項１】
（イ）  雨樋の内面上部の両側に夫々、上段の縦桟（１）と下段の縦桟（２）を平行して設ける。  若しくは、上段下段２個の平行した桟状の突出片（６）（７）を、数箇所設ける。
（ロ）  左右下段の縦桟（２）を結ぶ横桟（３）を数個設ける。
（ハ）  金網やプラスチック製の網の蓋（４）を上段の縦桟（１）と下段の縦桟（２）の間に差し込んで装着する。
（ニ）  金網等の蓋（４）を横桟（３）の中央部に針金等（５）を使って固定する。
上記、（イ）（ロ）（ハ）（ニ）によって構成される雨樋。
【発明の詳細な説明】
【技術分野】
【０００１】  本発明は雨樋の構造に関する。
〔背景技術〕【０００２】  従来の雨樋には、桟が設けられていない。
【発明の開示】
【発明が解決しようとする課題】
【０００３】  従来の雨樋は、底辺部に葉っぱなどが附着して腐ってヘドロになって溜り、ドレンを覆って目詰まりするため雨水が縦樋に流れなくなり、樋の至る所から溢れて落下するので、之を阻止しようとするものである。
〔課題を解決しようとする課題〕【０００４】  雨樋の上部の内面両側に上下２本の縦桟（１）（２）を設けて、下段の縦桟（２）には数個の横桟（３）を連結して設け、金網やプラスチック製の網の蓋（４）を装着して固定する。  飛来して来る葉っぱが落ちても、雨樋の底辺部に附着しないようにする。
〔発明の効果〕【０００５】  飛来する葉っぱなどが、雨樋の上部の網の蓋（４）の上で止まるため、良く乾燥し、風で吹き飛ばされるので、底辺部でヘドロにならない。
〔発明を実施するための最良の形態〕【０００６】  雨樋の内面上部の両側に設けた下段の縦桟（２）と連結した数個の横桟（３）が網の蓋（４）を受けて支える構造になっており、着脱が容易に出来る上、網の蓋（４）が雨樋の中に落ち込まない。  網の蓋（４）と横桟（３）の中央部に針金等（５）を使って固定するので、網の蓋（４）が風で吹き飛ばされない。その上、縦桟（１）（２）と横桟（３）を設ける事により、雨樋自体が格段に強靭になる利点もある。
〔実施例１〕【０００７】  屋根寄りの縦桟（１）（２）より、外寄りの縦桟（１）（２）を、若干低い位置に設ける事によって、網の蓋（４）が傾斜するので、屋根から流れ落ちる雨水が網の蓋（４）に当って飛び散る事なく雨樋の中へ落ちる。  無論、葉っぱが雨樋の底辺部には落下しない。  ドレンの上は、横桟（３）を狭い間隔で２本設け、短い蓋を装着して、ドレンの掃除を必要とする際、容易に着脱出来るようにした。
〔産業上の利用可能性〕【０００８】  従来の雨樋は、近くに樹木が多い所で、一年に数回屋根に上って樋掃除をしなければならないが、素人が急な傾斜の屋根に上るのは非常に危険であり、亦、業者に頼めば毎年費用がかさんで難渋していたのが解決する雨樋として、安全面、経済面での効果が大きい。
【図面の簡単な説明】
【０００９】
【図１】  内側に横桟（３）を有する下段の縦桟（２）と平行して、上段の縦桟（１）を設けた雨樋の斜視図。
【図２】  金網の蓋。
【図３】  上段の縦桟（１）と下段の縦桟（２）と、横桟（３）に金網の蓋（４）を装着して、固定した雨樋の断面図。
【図４】  外側上部に上段と下段の縦桟（１）（２）を設け、幾分下方の内側に横桟（３）を設けて、金網の蓋（４）を装着して固定した雨樋の断面図。
【図５】  内側上部に、上段、下段２個の平行した縦桟状の突出片（６）（７）を数箇所設けた雨樋の斜視図。
【符号の説明】
【００１０】  １．雨樋の上段の縦桟
２．雨樋の下段の縦桟
３．雨樋の横桟
４．金網、プラスチック製の網の蓋
５．網の蓋（４）を横桟（３）に固定する針金等
６．雨樋内側の縦状の上段突出片
７．雨樋内側の縦状の下段突出片
【図１】
2007023752.tif 000003
【図２】
2007023752.tif 000004
【図３】
2007023752.tif 000005
【図４】
2007023752.tif 000006
【図５】
2007023752.tif 000007
(57)【要約】【課題】内筒と外筒の係合離脱を外筒より内筒を抜くストロークより小さいストロークで行え、ガイドピンの位置調整作業が簡単に行えるガイドピン装置を提供することをその課題とする。【解決手段】外筒４内に内筒１を嵌め込むと共に内筒１を外筒４に対して周方向の嵌め込み位置を可変自在とし、内筒１に上方が開口したガイドピン挿入孔７を形成するとともにガイドピン挿入孔７中心を内筒１の中心に対して偏芯させて形成し、ガイドピン挿入孔７にガイドピンを上方に突出自在に収納してなるガイドピン装置において、相互に接する内筒１の外底部２、外筒４の内底部５のいずれか一方に係合凹部６、他方に係合凸部３を形成してなるガイドピン装置である。【選択図】図１
2007023572.tif 000002
【特許請求の範囲】
【請求項１】
外筒内に内筒を嵌め込むと共に内筒を外筒に対して周方向の嵌め込み位置を可変自在とし、内筒に上方が開口したガイドピン挿入孔を形成するとともにガイドピン挿入孔中心を内筒の中心に対して偏芯させて形成し、ガイドピン挿入孔にガイドピンを上方に突出自在に収納してなるガイドピン装置において、相互に接する内筒の外底部、外筒の内底部のいずれか一方に係合凹部、他方に係合凸部を形成してなるガイドピン装置。
【発明の詳細な説明】
【技術分野】
【０００１】
本発明はガイドピンの位置調整が容易に行えるガイドピン装置に関するものである。さらに詳しくは、ガイドピンを収納する内筒とこの内筒を嵌め込む外筒との係合、離脱が小さなストロークで行えるガイドピン装置に関するものである。
【背景技術】
【０００２】
従来、吊り戸に用いられるガイドピン装置として、外筒内に内筒を嵌め込むと共に内筒を外筒に対して周方向の嵌め込み位置を可変自在とし、内筒に上方が開口したガイドピン挿入孔を形成するとともにガイドピン挿入孔中心を内筒の中心に対して偏芯させて形成し、ガイドピン挿入孔にガイドピンを上方に突出自在に収納してなるガイドピン装置は知られている。この従来のガイドピン装置では、外筒内に内筒を嵌め込むと共に内筒を外筒に対して周方向の嵌め込み位置を可変自在とする構造は、本願の図３に示す如く、外筒内側面、内筒外側面の一方に係合凹部（イ）、他方に係合凸部（ロ）を形成してなるものである。この従来のガイドピン装置はガイドピンの位置を調整するときは、内筒を外筒より抜いて係合凹部（イ）、係合凸部（ロ）の係合を解き、次に内筒を外筒に対して周方向の嵌めこみ位置を変えて行う。この場合、内筒のガイドピン挿入孔中心は内筒の中心に対して偏芯しているためにガイドピンの位置が調整調整されるのである。
【特許文献１】特開平１１−７１９５４号公報
【発明の開示】
【発明が解決しようとする課題】
【０００３】
上記特許文献１におけるガイドピン装置は、ガイドピンの位置を調整するとき内筒を外筒より抜いて係合凹部、係合凸部の係合を解く必要があり、この作業が面倒なものとなっている。特に、多数のガイドピン装置を使用する場合に面倒なものとなっていた。本発明は、内筒を外筒より抜くのではなく、係合凹部、係合凸部の係合を解く作業を簡単に行えるガイドピン装置を提供するものである。
【課題を解決するための手段】
【０００４】
上記課題を解決するために、本発明に係るガイドピン装置は、請求項１に記載した如く、外筒内に内筒を嵌め込むと共に内筒を外筒に対して周方向の嵌め込み位置を可変自在とし、内筒に上方が開口したガイドピン挿入孔を形成するとともにガイドピン挿入孔中心を内筒の中心に対して偏芯させて形成し、ガイドピン挿入孔にガイドピンを上方に突出自在に収納してなるガイドピン装置において、相互に接する内筒の外底部、外筒の内底部のいずれか一方に係合凹部、他方に係合凸部を形成してなるものである。
【発明の効果】
【０００５】
請求項１に記載のガイドピン装置は、相互に接する内筒の外底部、外筒の内底部のいずれか一方に係合凹部、他方に係合凸部を形成した構造であるからから、係合凹部、係合凸部の係合を解くには少なくとも係合凸部の高さだけ内筒を持ち上げればよく、従来の内筒を外筒より抜く作業よりストロークが小さく、簡単に行えるものである。特にガイドピン装置が多数使用される現場においては、簡単にガイドピンの調整が行えることは大きな効果である。
【発明を実施するための最良の形態】
【０００６】
以下、本発明の実施形態について図面を参照して、詳細に説明する。図１、図２は本発明に係るガイドピン装置の実施例を示すものである。図１は内筒１の外底部２に形成した係合凸部３を示すと共に外筒４の内底部５に形成した係合凹部６を示すものであり、内筒１と外筒４を分解した状態を示すものである。図１では内筒１の外底部２に形成した係合凸部３は一つであるが複数あっても良いことは当然である。また、係合凸部３と係合凹部６は形状においても特に限定される必要はないものである。要するに係合凸部３と係合凹部６は係合離脱できるものであれば良いものである。７は内筒に形成されたガイドピン挿入孔である。図２はガイドピン装置の断面説明図であり、１は内筒、４は外筒、８はガイドピンである。このガイドピン装置はガイドピン８の位置を調整するときは、まず内筒１を係合凸部３と係合凹部６の係合が離脱するまで持ち上げる。次に内筒１を外筒４の周方向に回す。内筒１を回すと内筒１に形成されたガイドピン挿入孔７は偏芯した位置に形成されているためにガイドピン８はその位置を変えることになり位置が調整されたことになる。この場合、係合凸部３と係合凹部６の係合が離脱するまで内筒１を持ち上げる作業は係合凸部３の高さを持ち上げることであり、内筒１を外筒４より抜く作業に比較してストロークが小さなもので簡単な作業である。
【図面の簡単な説明】
【０００７】
【図１】本発明にかかるガイドピン装置で内筒と外筒を分解した部分説明図。
【図２】図１に示す実施例の断面図。
【図３】従来例の分解斜視図。
【符号の説明】
【０００８】
１        内筒
２        外底部
３        係合凸部
４        外筒
５        内底部
６        係合凹部
７        ガイドピン挿入孔
８        ガイドピン
【図１】
2007023572.tif 000003
【図２】
2007023572.tif 000004
【図３】
2007023572.tif 000005
(57)【要約】 【課題】  本発明は、道路標識に色彩を用いて運転し易くする。【解決手段】  道路標識は、分岐先５ａによって異なる色彩で表示すると共に、その色彩と同じ色で該当する道路に方向表示部６を形成する。【選択図】        図１
2007023519.tif 000002
【特許請求の範囲】
【請求項１】
道路に設置の道路標識において、行き先によって異なる色彩で表示すると共に、その色彩と同じ色で該当する道路に方向表示部を形成することを特徴とする道路標識。
【請求項２】
前記行き先に対応する道路の路面上に方向表示部を形成することを特徴とする請求項１の道路標識。
【発明の詳細な説明】
【技術分野】
【０００１】
本発明は、道路標識に関し、より詳細には道路標識の色彩に関する。
【背景技術】
【０００２】
従来、道路の端部に設置してある道路標識は、緑色のボードに、白色で、行き先の地名や矢印が表示してある。
尚、この従来例は文献を列挙するまでもなく周知事項である。
【発明の開示】
【発明が解決しようとする課題】
【０００３】
前記のように、道路標識を同じ色で使用しているので、分岐点において迷うことがあるし、分岐道路の入口を間違えることがある。
例えば、高速道路におけるインターチェンジでは、順次、インターチェンジに近付くに連れて、種々の分岐先の案内の表示板と共に分岐道路が設けてある。
そして、これらの案内標識は、緑色を下地で白色で分岐先と矢印を表示してあり、異なる分岐先は異なる位置に表示してあれば区分けが付くが、時には、複数の分岐先を、同じ場所に、異なる表示板であるが色が同じ表示していることがあるので、通過してしまうことがある。
そこで、本願の発明は、道路標識と分岐道路を見間違えないようにする標識について提供する。
【課題を解決するための手段】
【０００４】
請求項１の道路標識は、分岐先によって異なる色彩で表示すると共に、その色彩と同じ色で該当する道路に方向表示部を形成する。尚、前記分岐先は、文字の他に矢印を含むの概念である。又、前記方向表示部は道路上に表示する他、騒音防止壁等に表示することを含むものである。
又、請求項２の道路標識は、方向表示部を分岐先に対応する道路の路面上に形成するものである。
【発明の効果】
【０００５】
本願の発明の道路標識によって、色彩で誘導可能であるので、運転者は容易に運転することができる。
【発明を実施するための最良の形態】
【０００６】
本発明の実施の形態について、図１を参照して説明する。
図１は、主道路１と分岐道路（出口）２の分岐点に設置の道路標識５である。この道路標識５には、分岐先５ａと共に誘導する道路の方向を示す矢印５ｂ、主道路１の分岐先５ｃと矢印５ｄが表示してある。
【０００７】
そして、前記道路標識５は、前記分岐先５ａ、或は矢印５ｂ、又は分岐先５ａと矢印５ｂの双方には、例えば、道路標識５に下地に白を使用し、「青色」を使用して表示してある。又、前記分岐先５ａ（又は矢印５ｂ）と同じ「青色」で、分岐道路（出口）２の路面上の中央部において、帯状に方向表示部６が形成してある。
従って、運転者は、前記道路標識５における「分岐先５ａ又は矢印５ｂ」の「青色」と同じ色が付してある方向表示部６を見ながら運転することができ、容易に誘導される。
【０００８】
又、前記道路標識５には、前記分岐道路２の他に、主道路１の分岐先５ｃと矢印５ｄが表示してある。そして、道路標識５の下地には白色を使用し、分岐先５ｃ、或は矢印５ｄ、又は分岐先５ｃと矢印５ｄの双方には、前記分岐先５ａ、矢印５ｂに使用した「青色」と区別できる「黄色」で、主道路１の路面上に帯状の方向表示部６が形成してある。
そのため、主道路１を走行する運転者は、前記道路標識の分岐先５ｃ又は矢印５ｄに使用の「黄色」の方向表示部６に従って運転すればよい。
【０００９】
以上のように、運転者は、分岐路に差し掛かったとき、分岐先に対する分岐先５ａや矢印５ｂを目標として運転することなく、色を覚えておくことによって、その色に従って運転すればよく、運転が容易である。
【００１０】
尚、前記は道路上に方向表示部６を形成する実施例であるが、分岐道路（出口）２、又は主道路１であることが、色彩の相違で容易に判るようにすればよいので、分岐箇所に設置の騒音防止壁に前記区別する色彩を塗布したり、騒音防止壁に描く矢印の色で区別したり、或は、矢印看板を道路に沿って立設し、その矢印看板における色で区別したりするものであってもよい。
【００１１】
又、前記道路標識に表示の分岐先や矢印の色彩は、下地色と区別できる色を選択すれば良いし、道路標識の設置場所によって適宜選択すればよく、前記実施例に限定されないことはいうまでもない。又、前記は分岐先や矢印の色彩で区別しているが、下地色を分岐先によって区別し、この色に対応して方向表示部を作成してもよい。
又、この色彩で区別するのは分岐道路の他、料金所における「ＥＴＣ」とそうでない場所に対し、誘導路として、道路上に方向表示部を作成してもよい。
【図面の簡単な説明】
【００１２】
【図１】分岐道路の概念図である。
【符号の説明】
【００１３】
１  主道路
２  分岐道路（出口）
５  道路標識
５ａ、５ｃ  分岐先
５ｂ、５ｄ  矢印
６  方向表示部
【図１】
2007023519.tif 000003
(57)【要約】【課題】車両のガードレール接触により車体の一部とみられる３角形の鋭利な金属片がガードレールの取り付けボルトやガードレールの接続部に付着し、歩行者や自転車利用者が負傷する事故が多発し社会問題化しており、ガードレール金属片付着を未然に防止することができる対策工法を提供するものである。【解決手段】本発明は、既存のガードレールの固定ボルト頭部、段差のあるガードレール接続部をバインダーの塗布により滑らかに被覆し、突起部や段差を隠すことにより金属片の付着を防止し、歩行者の安全を確保する工法を提供するものである。【選択図】図３
2007023520.tif 000002
【特許請求の範囲】
【請求項１】
車両のガードレール接触により車体の一部とみられる３角形の鋭利な金属片がガードレールの取り付けボルトやガードレールの接続部に付着し、歩行者や自転車利用者が負傷する事故が多発し社会問題化している。本発明は、ガードレール事故を未然に防止することができる対策工法である。
【発明の詳細な説明】
【技術分野】
【０００１】
本発明は、車両のガードレール接触事故により、車体の一部がガードレールの表面に鋭利な金属片として残り、歩行者や自転車利用者の負傷事故が多発しているため、ガードレールの金属片付着を防止工法に関するものである。
【背景技術】
【０００２】
従来のガードレール保護対策工は、車両のガードレール接触時の自動車への衝撃を緩和する衝撃緩衝材やガードレールの変形を緩和し、ガードレールの補修費用を考慮したガードレールカバーや樹脂製品のカバープレート等が提供されていた。また、従来の技術は、ガードレール金属片付着事故の報道が全国的に広まった平成１７年６月以前に提供されており、車両の衝突による衝撃緩和を目的とした技術であり、金属片付着事故を想定した技術ではなかった。よって、衝撃緩衝材やカバープレート等のみでは、車両の衝撃緩和に対する効果はあるが、取り付け工法が簡易的なカバー形式であるため、衝突時には、はずれて破損し歩行者に当たるなどして二次災害が発生する危険性もある。今回のガードレール金属片付着事故を未然に防止する対策工は今までかいはつされていなかった。
【０００３】
弾性体緩衝材については、車両とガードレールの損傷を最小限に抑えるための目的とされていた。しかし、ガードレール金属片付着は、ガードレールの表面に車両が横滑りでできた傷が残っており、車両が横方向からのスライドし弾性体に接触すると、ボルトによって固定された弾性体は衝撃によって吹き飛び、歩行者に当たるなど二次災害の危険性があり、安全性という点で問題があり緩衝材の役割は果たせていない。（特開平２００１−９８５１８）
【０００４】
ビーム埋め込み式半円形弾性体に関しては、ビームの上端部と下端部に円筒状の防護体を取り付けてあり、支柱に関しても弾性体を使用して衝突による車両の逸脱防止を主体とした技術であるが、ガードレールの取り付けボルト及びガードレールの接続部を被覆していないため、車両の横滑り衝突が発生した場合、ガードレール金属片の付着が予想される。この技術においても衝突により車両の一部が付着する安全対策を予測したものではなかった。（特開平９−２４２０３４）
【０００５】
ガードレールカバーに関しては、ゴムまたは合成ゴム製の基盤とシートまたはフィルムで袋状に形成されているが、カバー本体に付属する固着片を内側に曲げて縁部に掛け止めするものとボルト固定するものがあり、衝突時の自動車への衝撃を緩和するとともに、歩行者の安全を確保する技術であった。しかし、掛け止め式では、強固に固定されていないため、衝突が激しい場合にカバー自体が吹き飛び、二次災害の危険性がある。また、ボルト固定式の場合、表面に頭部が露出しているため衝突時にボルトに車体の一部が引っ掛かり金属片が付着するおそれがある。さらに、製品が多層構造で構成されているため製造工程に手間がかかり、工事延長が長くなると費用もかさみ経済性に欠ける。（特開平９−１００５１７）
【０００６】
車両用防護柵に関しては、工場製品であるトップレールは、鉄、アルミニウム合金等で製造され、断面形状が、略矩形の中空状の構造であり、既存ガードレールを保護するための目的を達成することが出来ない。（特開平１１−９３１２６）
【０００７】
【特許文献１】特開平２００１−９８５１８
【特許文献２】特開平９−２４２０３４
【特許文献３】特開平１１−９３１２６
【発明の開示】
【発明が解決しようとする課題】
【０００８】
既存のガードレールに挟まった金属片は、人力により取り除く方法しかない。しかし、たとえ、取り除いても、再度、接触事故の可能性もあり、歩行者や自転車利用者の安全は、確保されていない。
【０００９】
また、接触事故により極度に変形したガードレールは、取り替える必要があるが、車両の走行や歩行者の安全が確保されれば取り替える必要もないため、接触事故の多発性を考慮すると、施工性、経済性、耐久性、安全性、利便性を考慮した工法を提供することである。
【課題を解決するための手段】
【００１０】
本発明は、既存のガードレールの固定ボルト頭部、段差のあるガードレール接続部を突起物の違和感がないようにバインダーの塗布によりガードレール表面を滑らかに被覆し、段差をなくすことにより金属片の付着を防止する工法を提供するものである。
【発明の効果】
【００１１】
以上説明したように、本発明においては、バインダーを塗布することにより、ガードレール表面の突起物が隠され金属片の付着が解消される。また、施工性に優れ、また、人為的に悪戯され破損しても容易に補修が可能であり、経済性に優れる。
【発明を実施するための最良の形態】
【００１２】
以下、本発明の実施の形態を図１〜図３に基づいて説明する。
【００１３】
図においては、１は、ガードレールであり、２の鋼製ボルトによりガードレールを固定する支柱３に固定されている。ここで、鋼製ボルト２及びガードレールの接続部をバインダーの使用により被覆処理を施し、車両の横滑りによる突起物の引っ掛かりがなくなり、金属片の付着が解消される。これにより、ボルト２とガードレール１の隙間をなくし一体化が図られ、車両の横滑り時において、車両表面の剥離を防止することができる。
【００１４】
図１は、ガードレール断面図であるが、既存ガードレール１を固定するボルト頭部、及びガードレール表面をバインダー３にて表面形状が、凹凸のないように滑らかに塗布することにより、段差を解消する。また、図３は、ガードレールを上部からみた詳細図であり、バインダーを突起部、ガードレール接続部を塗布しているため、横すべりしてきた車両が接触してもガードレール表面が滑らかであるため金属片が付着しなく、歩行者や自転車利用者が金属片により怪我をしない。
【図面の簡単な説明】
【００１５】
【図１】ガードレールの断面図である。
【図２】ガードレール正面図である。
【図３】ガードレールを上からみた詳細図である。
【符号の説明】
【００１６】
１  ガードレール本体
２  ガードレールと支柱を固定するボルト
３  バインダー
４  ガードレールを固定する支柱
５  ナット
【図１】
2007023520.tif 000003
【図２】
2007023520.tif 000004
【図３】
2007023520.tif 000005
(57)【要約】【課題】解決しようとする問題点は、腰周り（腹回り）の体型は、日々変化することが多いので、パンツ類を着用して一定のゴムひもの長さで長時間、強く締め付けていると気分が悪くなるので、健康のために良くない。【解決手段】腰周り（腹回り）の略二分の一の伸縮するゴム部１の両端にそれぞれ、伸縮しない一定の長さのひも部２を設けてなる１本のゴムひもとして本発明を構成し、パンツ４の開口部６からひも通し５に本発明を通して、開口部６でひも部２を結んで、使用者は腰周り（腹回り）の体型に合わせてひも部結び目３を調整することで解決する。【選択図】図２
2007023460.tif 000002
【特許請求の範囲】
【請求項１】
腰周り（腹回り）の略二分の一の伸縮するゴム部の両端にそれぞれ、伸縮しない一定の長さのひも部を設けてなる１本のゴムひもとして構成したことを特徴とするパンツ用健康ゴムひも。
【発明の詳細な説明】
【技術分野】
【０００１】  本発明は、パンツ類に使用する健康ゴムひもに関するものである。
【背景技術】
【０００２】  従来の一般的な技術によって、パンツ類に使用しているゴムひもは、一様に伸縮性のあるゴムひもを使用していて、当該ゴムひもの長さは数種類のパンツサイズによって決められている。【０００３】  登録実用新案第３００４５３１号においては、伸縮するゴム部分と伸縮しないひも部分とを交互に配置して１本のゴムひもとして構成したことを特徴とする体を締め付けない健康ゴムひもがある。【０００４】  しかし、従来の一般的な技術によるパンツ類のゴムひもは、一様に伸縮性があるために腰周り（腹回り）全体を締め付けるとともに調節できないので健康のために良くない。また、登録実用新案第３００４５３１号は、伸縮するゴム部と伸縮しないひも部を交互に配置して構成している点において少し改良されているが、日々変化する体型に合わせて調節できないので健康のために良くない。
【発明の開示】
【発明が解決しようとする課題】
【０００５】  解決しようとする問題点は、腰周り（腹回り）の体型は、日々変化することが多いので、一定のゴムひもの長さで長時間、強く締め付けていると気分が悪くなり、健康のために良くない。
【課題を解決するための手段】
【０００６】  腰周り（腹回り）の略二分の一の伸縮するゴム部の両端にそれぞれ、伸縮しない一定の長さのひも部を設けてなる１本のゴムひもとして構成したことを特徴とする健康ゴムひもを採用して、日々変化する腰周り（腹回り）の体型に合わせて長さを調節してひも部を結ぶことで解決する。
【発明の効果】
【０００７】  本発明は、腰周り（腹回り）の略二分の一の伸縮するゴム部と伸縮しないひも部を設けて長さを調節して結んでいるので、腹を強度に圧迫することがなく健康のために良い利点がある。【０００８】  また、一部ゴム部があるのでパンツ類の着脱も容易である利点がある。
【発明を実施するための最良の形態】
【０００９】  本発明に、やや強い目のゴム部を採用してひも部を腰周り（腹回り）に合わせて結ぶことで殆ど全体がひも感覚で使用でき、腰周り（腹回り）の締め付けを軽減できる。
【実施例１】
【００１０】  図１は、本発明の１実施例の姿図による説明である。【００１１】  腰周り（腹回り）の略二分の一の伸縮するゴム部１の両端に伸縮しない一定の長さのひも部２を設けてなる１本の健康ゴムひもとして構成する。【００１２】  図２は、パンツ４に本発明を装着した姿図による説明である。【００１３】  パンツ４の開口部６からひも通し５に本発明を通して、開口部６でひも部２を結んでひも部結び目３を構成する。【００１４】  使用者は、腰周り（腹回り）の体型に合わせてひも部結び目３を調整する。【００１５】  当該ゴム部は、丸型でも平型でもどちらでも良い。
【図面の簡単な説明】
【００１６】
【図１】  本発明の１実施例の姿図による説明である。
【図２】  パンツ４に本発明を装着した姿図による説明である。
【符号の説明】
【００１７】    １    ゴム部
２    ひも部
３    ひも部結び目
４    パンツ
５    ひも通し
６    開口部
【図１】
2007023460.tif 000003
【図２】
2007023460.tif 000004